(57)【要約】【課題】商品表示ラベルとしての機能を有し、かつ、コストダウンを図ることができる非接触ＩＣタグ付き粘着ラベルを提供する。【解決手段】接着剤層２１と、前記接着剤層２１上に積層された第１の基材フィルム２２とを有する粘着ラベル２と、前記粘着ラベル２の少なくとも一方の面に取り付けられ、非接触ＩＣタグ３１を有する非接触ＩＣタグラベル３とを備えた非接触ＩＣタグ付き粘着ラベル１であって、前記非接触ＩＣタグラベル３の面積が、前記粘着ラベル２の面積より小さいことを特徴とする。【選択図】図１
2020101762.tif 000002
【特許請求の範囲】
【請求項１】
粘着ラベルと、前記粘着ラベルの少なくとも一方の面に取り付けられた非接触ＩＣタグラベルとを備えた非接触ＩＣタグ付き粘着ラベルであって、
前記粘着ラベルは、接着剤層と、前記接着剤層上に積層された第１の基材フィルムとを有し、
前記非接触ＩＣタグラベルは、非接触ＩＣタグと、前記粘着ラベルとは反対側の面に第２の基材フィルムを有し、
前記非接触ＩＣタグラベルの面積が、前記粘着ラベルの面積より小さいことを特徴とする非接触ＩＣタグ付き粘着ラベル。
【請求項２】
請求項１に記載の非接触ＩＣタグ付き粘着ラベルにおいて、
前記粘着ラベルにおける、第１の基材フィルムは、印字及び／又は印刷が施されてなることを特徴とする非接触ＩＣタグ付き粘着ラベル。
【請求項３】
請求項１又は２に記載の非接触ＩＣタグ付き粘着ラベルにおいて、
前記非接触ＩＣタグラベルにおける、第２の基材フィルムは、印字及び／又は印刷が施されてなることを特徴とする非接触ＩＣタグ付き粘着ラベル。
【請求項４】
請求項１乃至請求項３のいずれかに記載の非接触ＩＣタグ付き粘着ラベルにおいて、
前記粘着ラベルは、前記第１の基材フィルムの表面に第１の易接着層を有していることを特徴とする非接触ＩＣタグ付き粘着ラベル。
【請求項５】
請求項１乃至請求項４のいずれかに記載の非接触ＩＣタグ付き粘着ラベルにおいて、
前記非接触ＩＣタグラベルは、前記第２の基材フィルムの表面に第２の易接着層を有していることを特徴とする非接触ＩＣタグ付き粘着ラベル。
【請求項６】
請求項１乃至請求項５のいずれかに記載の非接触ＩＣタグ付き粘着ラベルにおいて、
前記非接触ＩＣタグラベルの面積が１〜５００ｃｍ２であり、前記粘着ラベルの面積の１〜９０％であることを特徴とする非接触ＩＣタグ付き粘着ラベル。
【請求項７】
請求項１乃至請求項６のいずれかに記載の非接触ＩＣタグ付き粘着ラベルにおいて、
前記非接触ＩＣタグラベルが、前記粘着ラベルの前記第１の基材フィルム側の面に取り付けられていることを特徴とする非接触ＩＣタグ付き粘着ラベル。
【請求項８】
請求項７に記載の非接触ＩＣタグ付き粘着ラベルにおいて、
前記粘着ラベルが、前記第１の基材フィルムの少なくとも一方の面に積層された導電性金属光沢層を備えることを特徴とする非接触ＩＣタグ付き粘着ラベル。
【請求項９】
物品本体と、該物品本体に貼付された請求項１乃至請求項８のいずれかに記載の非接触ＩＣタグ付き粘着ラベルを備えたことを特徴とする物品。
【発明の詳細な説明】
【技術分野】
【０００１】
本発明は、非接触ＩＣタグ付き粘着ラベルに関するものである。
【背景技術】
【０００２】
従来から、運送や流通、販売管理、工場工程管理、在庫管理、商品の配送や荷物の取り扱いなど、様々な分野では、ＲＦＩＤタグなどの非接触ＩＣタグを有する非接触ＩＣタグ付き粘着ラベルが用いられている。
【０００３】
従来の一般的な非接触ＩＣタグ付き粘着ラベル１０１としては、図４に示されるように、接着剤層１２１と、接着剤層１２１上に積層された基材フィルム１２２とを有する粘着ラベル１０２と、粘着ラベル１０２の少なくとも一方の面に取り付けられ、非接触ＩＣタグ１３１を有する非接触ＩＣタグラベル１０３とを備えたものが知られている。非接触ＩＣタグ１３１は、接着剤層１３２を介して粘着ラベル１０２の基材フィルム１２２上に積層され、接着剤層１３３を介して基材フィルム１３４が積層され、任意で易接着層１３５が積層されている。非接触ＩＣタグ付き粘着ラベル１０１は、平面視において、粘着ラベル１０２と同形状で、略同サイズの非接触ＩＣタグラベル１０３が積層されている。また、非接触ＩＣタグ付き粘着ラベル１０１は、接着剤層１２１を介して物品本体９０に貼付されている。基材フィルム１３４の上面には、商品表示ラベルとしての機能を付与するため、文字、記号、図形などが印刷される。
【０００４】
しかしながら、このような従来の非接触ＩＣタグ付き粘着ラベル１０１の場合、粘着ラベル１０２の全面に、粘着ラベル１０２と略同サイズの非接触ＩＣタグラベル１０３が積層されていたため、比較的大きな面積が必要となるタイヤやドラム缶などの物品に用いられるラベルの場合、非接触ＩＣタグラベル１０３も不必要に大きくする必要があり、コストが高くなるという問題があった。
【０００５】
また、商品表示ラベルには、高級感を出すために、金属光沢層を積層することがある。一般的な金属光沢層は、アルミニウム箔のような金属箔や金属蒸着膜が用いられる。しかしながら、従来の非接触ＩＣタグ付き粘着ラベル１０１の場合、非接触ＩＣタグラベル１０３上に金属光沢層を積層すると、非接触ＩＣタグの読出し信号との干渉を起こし、通信阻害が生じることが知られている。
【発明の概要】
【発明が解決しようとする課題】
【０００６】
本発明は、上記のような実状に鑑みてなされたものであり、商品表示ラベルとしての機能を有し、かつ、コストダウンを図ることができる非接触ＩＣタグ付き粘着ラベルを提供することを目的とする。また、金属光沢層を積層した場合であっても、非接触ＩＣタグの通信阻害が生じにくい非接触ＩＣタグ付き粘着ラベルを提供することを目的とする。
【課題を解決するための手段】
【０００７】
上記課題を解決するために、本発明にかかる非接触ＩＣタグ付き粘着ラベルは、粘着ラベルと、前記粘着ラベルの少なくとも一方の面に取り付けられた非接触ＩＣタグラベルとを備えた非接触ＩＣタグ付き粘着ラベルであって、前記粘着ラベルは、接着剤層と、前記接着剤層上に積層された第１の基材フィルムとを有し、前記非接触ＩＣタグラベルは、非接触ＩＣタグと、前記粘着ラベルとは反対側の面に第２の基材フィルムを有し、前記非接触ＩＣタグラベルの面積が、前記粘着ラベルの面積より小さいことを特徴とする。
【発明の効果】
【０００８】
本発明にかかる非接触ＩＣタグ付き粘着ラベルは、非接触ＩＣタグラベルの面積が粘着ラベルの面積より小さいので、粘着ラベルの全面に非接触ＩＣタグラベルを取り付ける場合に比べてコストダウンを図ることができる。特に、タイヤやドラム缶などの物品に貼付される比較的面積の大きいラベルの時にコストダウンが期待できる。また、本発明にかかる非接触ＩＣタグ付き粘着ラベルは、金属光沢層を積層した場合であっても、非接触ＩＣタグの通信阻害が生じにくい。また、本発明にかかる非接触ＩＣタグ付き粘着ラベルにおいて、非接触ＩＣタグラベルにおける、第２の基材フィルム及び／又は粘着ラベルにおける、第１の基材フィルムは、文字、記号、図形などの印字及び／又は印刷が施されている。そのため、印字及び／又は印刷により表示された情報と、非接触ＩＣタグに記録された情報とを組み合わせて物品の情報を提示できる。これにより、本発明にかかる非接触ＩＣタグ付き粘着ラベルは、非接触ＩＣタグラベルによる、運送や流通、販売管理、工場工程管理、在庫管理などの管理ラベルとしての機能に加えて、商品表示ラベルとしての機能性にも優れる。
【図面の簡単な説明】
【０００９】
【図１】本発明の第一の実施形態にかかる非接触ＩＣタグ付き粘着ラベルの構成を模式的に示す断面図である。
【図２】同非接触ＩＣタグ付き粘着ラベルの構成を模式的に示す上面図である。
【図３】本発明の第二の実施形態にかかる非接触ＩＣタグ付き粘着ラベルの構成を模式的に示す断面図である。
【図４】従来例にかかる非接触ＩＣタグ付き粘着ラベルの構成を模式的に示す断面図である。
【発明を実施するための形態】
【００１０】
以下、本発明の第一の実施形態にかかる非接触ＩＣタグ付き粘着ラベルについて、図面を参照して説明する。図１に示されるように、非接触ＩＣタグ付き粘着ラベル１は、接着剤層２１と、接着剤層２１上に積層された第１の基材フィルム２２とを有する粘着ラベル２と、粘着ラベル２の少なくとも一方の面に取り付けられ、非接触ＩＣタグ３１を有する非接触ＩＣタグラベル３とを備えている。
【００１１】
また、非接触ＩＣタグラベル３は、粘着ラベル２とは反対側の表面に第２の基材フィルム３４を有している。また、第２の基材フィルム３４の表面には、任意に、第２の易接着層３５を有している。また、非接触ＩＣタグラベル３の非接触ＩＣタグ３１の下面は接着剤層３２を介して粘着ラベル２に貼付され、非接触ＩＣタグ３１の上面は接着剤層３３を介して第２の基材フィルム３４が積層されている。なお、本発明にかかる非接触ＩＣタグ付き粘着ラベルにおいて、接着剤層３３及び第２の易接着層３５は必要に応じて省略してもよい。
【００１２】
なお、以下においては、第１の基材フィルム２２及び第２の基材フィルム３４を単に基材フィルムともいう。
【００１３】
図２に示されるように、本発明にかかる非接触ＩＣタグ付き粘着ラベルは、非接触ＩＣタグラベル３の面積が粘着ラベル２の面積より小さいので、粘着ラベル２の全面に非接触ＩＣタグラベル３を取り付ける場合に比べてコストダウンを図ることができる。特に、タイヤ用やドラム缶などの物品に貼付される比較的面積の大きいラベルの時にコストダウンが期待できる。
【００１４】
非接触ＩＣタグラベル３の面積は、粘着ラベル２の面積の１〜９０％であることが好ましい。非接触ＩＣタグラベル３の面積が粘着ラベル２の面積の９０％より大きいと、コストダウンが達成しにくくなる。非接触ＩＣタグラベル３の面積が粘着ラベル２の面積の１％より小さいと、コストダウンが達成しやすくなるものの、後述するように、前記非接触ＩＣタグラベル３における、第２の基材フィルム面に印字及び／又は印刷を施しにくくなる。また、ＩＣタグのアンテナが小さくなることで交信距離が十分に得られなくなる可能性がある。
【００１５】
また、非接触ＩＣタグラベル３の面積は、ラベルの形状、サイズ、用途等により適宜選択されるが、例えば、１〜５００ｃｍ２であることが好ましく、５〜１００ｃｍ２であることがより好ましい。
【００１６】
非接触ＩＣタグラベル３の面積が５００ｃｍ２より大きいとコストダウンが達成しにくくなる。また、非接触ＩＣタグラベルの面積が１ｃｍ２より小さいと、非接触ＩＣタグラベル３における、第２の基材フィルム面に印字及び／又は印刷を施しにくくなるとともに、印字及び／又は印刷により表示された情報を目視にて読み取ることが困難になる。また、ＩＣタグのアンテナが小さくなることで交信距離が十分に得られなくなる可能性がある。
【００１７】
また、図２に示されるように、本発明にかかる非接触ＩＣタグ付き粘着ラベル１は、前記非接触ＩＣタグラベル３における、第２の基材フィルム面（すなわち、前記粘着ラベル２と接する側の反対面）に印字及び／又は印刷が施されて、情報表示部４１を有していてもよい。
【００１８】
また、本発明にかかる非接触ＩＣタグ付き粘着ラベル１は、前記粘着ラベル２における、第１の基材フィルム面（すなわち、非接触ＩＣタグラベルと接する側の面）に印字及び／又は印刷が施されて、情報表示部４２を有していてもよい。
【００１９】
本実施形態にかかる非接触ＩＣタグ付き粘着ラベル１は、非接触ＩＣタグラベル３上の情報表示部４１及び／又は粘着ラベル２上の情報表示部４２と、非接触ＩＣタグ３１に記録された情報とを組み合わせて物品の情報を提示できる。
【００２０】
本実施形態にかかる非接触ＩＣタグ付き粘着ラベル１は、非接触ＩＣタグラベルによる管理ラベルとしての機能に加えて、非接触ＩＣタグラベル３上及び／又は非接触ＩＣタグ３１上にも、印字及び／又は印刷を施すことができるため、表品等の表示ラベルとしての機能を両立することができる。
【００２１】
ここで、非接触ＩＣタグ付き粘着ラベル１は、非接触ＩＣタグ３１に記録された情報の少なくとも一部が、粘着ラベル２上の情報表示部４２の少なくとも一部と対応していることが好ましい。
【００２２】
また、非接触ＩＣタグ付き粘着ラベル１は、非接触ＩＣタグ３１に記録された情報の少なくとも一部が、非接触ＩＣタグラベル３上の情報表示部４１の少なくとも一部と対応していることが好ましい。
【００２３】
これにより、データの読取装置を用いることなく、非接触ＩＣタグ３１に記録された情報の一部を、情報表示部４１及び／又は情報表示部４２から視認することができる。例えば、非接触ＩＣタグ３１に記録された情報に商品のシリアル番号が含まれる場合、非接触ＩＣタグラベル３にシリアル番号を記載しておくことで、ユーザはデータの読取装置を用いることなく、商品のシリアル番号を識別することができる。
【００２４】
本発明にかかる非接触ＩＣタグ付き粘着ラベルにおいて、非接触ＩＣタグラベル３は、粘着ラベル２の少なくとも一方の面に取り付けられていればよいが、第一の実施形態にかかる非接触ＩＣタグ付き粘着ラベル１及び後述する第二の実施形態にかかる非接触ＩＣタグ付き粘着ラベル１１のように、粘着ラベル２の基材フィルム２２側の面に取り付けられていることが好ましい。
【００２５】
＜接着剤層＞
【００２６】
接着剤層２１，３２，３３を構成する接着剤としては、特に制限はなく、接着剤または粘着剤（感圧性接着剤）のいずれも用いられうる。本発明において、接着剤は粘着剤（感圧性接着剤）を含むものとする。例えばアクリル系接着剤、ゴム系接着剤、シリコーン系接着剤、及びポリウレタン系接着剤などを、溶剤型、エマルション型、ホットメルト型、感熱型、感圧型、常温硬化型、光硬化型等の接着剤として用いることができる。
【００２７】
前記アクリル系接着剤としては、主成分として、例えばアクリル酸エステル単独重合体、アクリル酸エステル単位２種以上を含む共重合体及びアクリル酸エステルと他の官能性単量体との共重合体の中から選ばれた少なくとも１種を含有するものが用いられる。該アクリル酸エステルとしては、例えば（メタ）アクリル酸ブチル、(メタ）アクリル酸２−エチルヘキシル、（メタ）アクリル酸ドデシルなどが挙げられる。また、官能性単量体としては、例えば（メタ）アクリル酸ヒドロキシエチル、（メタ）アクリル酸ヒドロキシプロピルなどのヒドロキシル基含有単量体、（メタ）アクリルアミド、ジメチル（メタ）アクリルアミドなどのアミド基含有単量体、（メタ）アクリル酸などのカルボン酸基含有単量体などが挙げられる。ゴム系接着剤としては、スチレン−イソプレン−スチレン（SIS）、スチレン−ブタジエン−スチレン（SBS）、スチレン−エチレン/ブチレン−スチレン（SEBS）等のブロック共重合体からなる、ホットメルト型が挙げられる。
【００２８】
接着剤層２１，３２，３３には、必要に応じて、架橋剤、粘着付与剤、酸化防止剤、紫外線吸収剤、光安定剤、軟化剤、シランカップリング剤、充填剤等のその他の成分が配合されていてもよい。これらは１種を単独で用いてもよく、２種以上を混合して用いてもよい。
【００２９】
接着剤層２１，３２，３３の厚さは、例えば５〜１００μｍであってもよく、例えば１０〜５０μｍであってもよい。本明細書において、「厚さ」は、無作為に抽出された５箇所で厚さを測定した平均で表される値として取得できる。
【００３０】
接着剤層２１，３２，３３は、その構成材料を含有する接着剤組成物を用いて形成できる。例えば、接着剤層の形成対象面に、接着剤層を構成するための各成分及び溶媒を含む接着剤組成物を塗工し、必要に応じて乾燥させて溶媒を揮発させることで、目的とする部位に接着剤層を形成できる。
【００３１】
＜基材フィルム＞
基材フィルム２２，３４の材質は特に限定されるものではないが、例えば、ポリエチレンテレフタレート等のポリエステルフィルム、ポリエチレン、ポリプロピレン等のポリオレフィンフィルム、ポリ塩化ビニルフィルム、ポリカーボネートフィルム、（メタ）アクリル樹脂フィルム、ポリスチレンフィルム、酢酸セルロースフィルム等の樹脂フィルムが挙げられる。なお、本明細書において（メタ）アクリル樹脂とは、アクリル樹脂及びメタクリル樹脂を意味し、以下同様である。
【００３２】
基材フィルム２２，３４の厚さは特に制限されないが、例えば１５〜３００μｍであってもよく、例えば２５〜２００μｍであってもよい。
【００３３】
また、基材フィルム２２，３４は、必要に応じて、少なくとも一方の面に、その他の層が積層されていてもよい。その他の層としては、易接着層、金属光沢層等が挙げられる。
【００３４】
また、第１の基材フィルム２２の上面には、易接着層を更に備えていていることが好ましい。
【００３５】
＜非接触ＩＣタグ＞
非接触ＩＣタグ３１とは、ＩＣチップに物品の情報が記憶されたものであってよい。非接触ＩＣタグ３１に記憶された情報は、電波や電磁波等による非接触の方式で、読取装置により読み取ることができてよい。非接触ＩＣタグ３１には、電波や電磁波等による非接触の方式で、書込装置により情報を書き込むことができてよい。非接触ＩＣタグ３１は、上記の読み取りおよび書き込みの両方が可能であってよい。当該情報としては、商品の値段、サイズ、割引率、成分、材質、産地、銘柄、生産元、期限など、その商品の特徴を表す情報を例示できる。実施形態に係るＩＣタグは、電子マネーカードに内蔵される貨幣情報が記憶されたＩＣや、身分証に内蔵された保有者の個人情報が記憶されたＩＣや、乗車カードに内蔵される乗車情報が記憶されたＩＣとは区別される。
【００３６】
非接触ＩＣタグ３１は、ベースフィルム面に導体アンテナパターンを形成され、アンテナパターンの端部にＩ Ｃ チップが装着されている。アンテナパターンの形状は特に限定されず、例えば、電磁誘導型のコイル状アンテナ、パッチアンテナ、ダイポール型アンテナであってもよい。Ｉ Ｃ チップは、通常、非接触通信機能部と制御部および情報記憶のためのメモリを備えるものである。これらおよび回路の浮遊容量等の容量素子により、所定の共振周波数を生じる非接触Ｉ Ｃ タグ回路が形成されている。
【００３７】
＜易接着層＞
第２の易接着層３５及び後述する第１の易接着層２３（以下、第１の易接着層及び第２の易接着層を単に易接着層ともいう）は、インキ密着性を向上させる目的で、必要に応じて、第２の基材フィルム３４の上面または第１の基材フィルム２２の上面に設けられている。易接着層としては、アクリル系樹脂、スチレン系樹脂、ポリエステル系樹脂、ウレタン系樹脂、ポリエステルウレタン系樹脂、アクリルウレタン系樹脂などを用いることができる。易接着層を形成する手段としては、バーコート法、グラビアコート法、ナイフコート法、ダイコート法などを用いることができる。
【００３８】
易接着層２３，３５の厚さは、例えば０．００１〜５０μｍであってもよく、例えば０．０１〜１０μｍであってもよい。
【００３９】
易接着層２３，３５は、その構成材料を含有する組成物を用いて形成できる。例えば、易接着層２３，３５の形成対象面に、易接着層２３，３５を構成するための各成分及び溶媒を含む組成物を塗工し、必要に応じて乾燥させて溶媒を揮発させることで、目的とする部位に易接着層２３，３５を形成できる。
【００４０】
非接触ＩＣタグ付き粘着ラベル１は、上述の各層を対応する位置関係となるように順次積層することで製造できる。各層の形成方法は、先に説明したとおりである。
【００４１】
次に、本発明の第二の実施形態にかかる非接触ＩＣタグ付き粘着ラベル１１について図３を参照して説明する。非接触ＩＣタグ付き粘着ラベル１１は、粘着ラベル２が、第１の基材フィルム２２の少なくとも一方の面（図３においては、基材フィルム２２における非接触ＩＣタグラベル３と接する側の反対面）に積層された導電性金属光沢層２４を備えており、また、第１の基材フィルム２２の上表面に積層された第１の易接着層２３を有している点で第一の実施形態と相違する。
【００４２】
＜導電性金属光沢層＞
導電性金属光沢層２４は、金属光沢を有し、非接触ＩＣタグ付き粘着ラベル１１に金属光沢を付与する層である。
【００４３】
導電性金属光沢層２４としては例えば、アルミニウム箔等の金属箔や金属蒸着膜等が挙げられる。
【００４４】
導電性金属光沢層２４の厚さは特に制限されないが、例えば、１〜１０００ｎｍであってよく、５〜５００ｎｍであってもよく、１０〜３００ｎｍであってもよい。
【００４５】
非接触ＩＣタグ付き粘着ラベル１１は、導電性金属光沢層２４を備えることにより高級感を有している。また、非接触ＩＣタグラベル３の面積が粘着ラベル２の面積より小さく、かつ、非接触ＩＣタグラベル３が粘着ラベル２の上にあるので、粘着ラベル２に導電性金属光沢層２４が含まれていても、非接触ＩＣタグ３１の通信特性の低下が生じにくい。ここで、非接触ＩＣタグラベル３と粘着ラベル２の間の距離を調整することにより、より効果的に非接触ＩＣタグ３１の通信特性の低下を防止できる。具体的には、第１の基材フィルム２２、接着剤層３２、第１の易接着層２３の厚さを調整することで非接触ＩＣタグラベル３と粘着ラベル２の間の距離を調整することができる。
【００４６】
また、本発明の第二の実施形態にかかるにかかる非接触ＩＣタグ付き粘着ラベル１１は、導電性金属光沢層２４を積層した場合であっても、非接触ＩＣタグの通信阻害が生じにくい。
【００４７】
各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【符号の説明】
【００４８】
１，１１  非接触ＩＣタグ付き粘着ラベル
２    粘着ラベル
３    非接触ＩＣタグラベル
２１，３２，３３  接着剤層
２２  第１の基材フィルム
２３  第１の易接着層
２４  導電性金属光沢層
３１  非接触ＩＣタグ
３４  第２の基材フィルム
３５  第２の易接着層
９０  物品本体
４１，４２  情報表示部
【図１】
2020101762.tif 000003
【図２】
2020101762.tif 000004
【図３】
2020101762.tif 000005
【図４】
2020101762.tif 000006